(57)【要約】【課題】外部映像表示部と再生装置との接続前あるいは接続時に映像出力端子の選択状況を確認でき、かつ接続を適切に行うことのできる再生装置を提供する。【解決手段】再生装置１をＴＶ装置３０又は３１に接続する前に、映像信号が出力される端子がどの映像端子であるかを本体正面のフロントパネル１０に設けられた表示部１００に可視表示することにより、複数の映像出力端子を備えたものであっても映像ケーブルの接続を容易かつ確実に行うことができる。また、映像端子の種類だけでなく、映像出力表示部１２６に映像信号の解像度を表示させるようにしたので、接続されているにもかかわらず画面表示がなされないといった不具合も解消できる。【選択図】図１
2007166524.tif 000002
【特許請求の範囲】
【請求項１】
デジタル映像出力およびアナログ映像出力を含む複数の映像端子を切り換える端子切換部を有し、前記端子切換部の操作に基づく端子切換信号を送信するリモートコントローラと、
前記端子切換信号を受信することによりケーブルを介して外部映像表示部と接続される前記複数の映像端子を切り換えるとともに、選択された映像端子の種別および前記外部映像表示部に出力される映像信号の解像度についての情報を文字表示する表示部をフロントパネルに設けた本体とを有することを特徴とする再生装置。
【請求項２】
ディスク状記憶媒体を再生することにより得られるデジタル映像出力又はアナログ映像出力を含む複数の映像端子を切り換える端子切換部を有し、前記端子切換部の操作に基づく端子切換信号を送信するリモートコントローラと、
前記端子切換信号を受信することによりケーブルを介して外部映像表示部と接続される前記複数の映像端子を切り換える映像切換部と、選択された映像端子の出力方式に応じた映像信号を形成するデコード部と、前記選択された映像端子の種別および前記外部映像表示部に出力される前記映像信号の解像度についての情報を文字表示しフロントパネルに設けられる表示部とを備えた本体とを有することを特徴とする再生装置。
【請求項３】
前記表示部は、前記外部映像表示部との接続前に前記選択された映像端子についての情報を文字表示する請求項１又は２に記載の再生装置。
【請求項４】
前記表示部は、外部映像表示部との接続前に前記選択された映像端子で出力可能な映像信号の解像度についての情報を文字表示する請求項１又は２に記載の再生装置。
【請求項５】
前記リモートコントローラは、前記端子切換部として独立したスイッチを有する請求項１又は２に記載の再生装置。
【請求項６】
前記リモートコントローラは、前記選択された映像端子で出力される映像信号の解像度を切り換える独立した解像度切換スイッチを有する請求項１又は２に記載の再生装置。
【請求項７】
前記映像切換部は、選択された映像端子の出力方式に応じた映像信号を他の映像端子の映像信号に対して排他的に出力させるように切り換える請求項２に記載の再生装置。
【発明の詳細な説明】
【技術分野】
【０００１】
本発明は、ＤＶＤ（Digital Versatile Disk）等のディスク状記憶媒体を再生して別体の外部映像表示部に映像を表示させる再生装置に関し、特に、外部映像表示部と再生装置との接続前あるいは接続時に映像出力端子の選択状況を確認でき、かつ接続を適切に行うことのできる再生装置に関する。
【背景技術】
【０００２】
近年、テレビジョン（ＴＶ）装置に代表される映像機器では、既存のアナログ放送に加えてデジタル放送に対応した機器が普及しつつある。また、ＴＶ装置で表示可能なビデオ等の動画像についてもＤＶＤや、より大容量で高繊細な映像を提供可能なＨＤ（High Definition）規格の動画像を扱うことのできる再生装置の開発が進められている。
【０００３】
また、ＴＶ装置についても上記した再生装置側の高繊細化、多様化に対応すべく改良がなされており、既存のアナログ放送に加えてデジタル放送対応化が進んでいるが、現状ではユーザにとってこれら機器同士の接続を正確に行うことは容易ではなく、映像が適切に表示されないか、あるいは映像が全く表示されない場合もありえる。
【０００４】
このような問題を解決するものとして、映像表示装置から出力されるアスペクト比情報をＤＶＤ再生装置に入力し、アスペクト比情報に対応する映像信号を出力するようにＤＶＤ再生装置の映像信号出力部を制御することによって、ユーザによる手動でのアスペクト比の設定をする手間を不要にしたＤＶＤ再生装置が提案されている（例えば、特許文献１参照。）。
【特許文献１】特開平１１−１９６４３６号公報
【発明の開示】
【発明が解決しようとする課題】
【０００５】
しかし、特許文献１のＤＶＤ再生装置によると、ＤＶＤ再生装置と映像表示装置との接続が正確に行われていない場合にはデータの送受信を行うことができない。今日のＡＶ機器は、多種多様の機器との接続を可能にすべく複数の端子を備えているが、設置段階での接続が正確に行われていたとしても、接続された端子に信号出力されていない場合もあり、その場合にはユーザが手操作で出力先の端子を切り換えるという煩雑な操作が必要になるという問題がある。
【０００６】
従って、本発明の目的は、外部映像表示部と再生装置との接続前あるいは接続時に映像出力端子の選択状況を確認でき、かつ接続を適切に行うことのできる再生装置を提供することにある。
【課題を解決するための手段】
【０００７】
本発明は、上記の目的を達成するため、デジタル映像出力およびアナログ映像出力を含む複数の映像端子を切り換える端子切換部を有し、前記端子切換部の操作に基づく端子切換信号を送信するリモートコントローラと、前記端子切換信号を受信することによりケーブルを介して外部映像表示部と接続される前記複数の映像端子を切り換えるとともに、選択された映像端子の種別および前記外部映像表示部に出力される映像信号の解像度についての情報を文字表示する表示部をフロントパネルに設けた本体とを有する再生装置を提供する。
【０００８】
また、本発明は、上記の目的を達成するため、ディスク状記憶媒体を再生することにより得られるデジタル映像出力又はアナログ映像出力を含む複数の映像端子を切り換える端子切換部を有し、前記端子切換部の操作に基づく端子切換信号を送信するリモートコントローラと、前記端子切換信号を受信することによりケーブルを介して外部映像表示部と接続される前記複数の映像端子を切り換える映像切換部と、選択された映像端子の出力方式に応じた映像信号を形成するデコード部と、前記選択された映像端子の種別および前記外部映像表示部に出力される前記映像信号の解像度についての情報を文字表示しフロントパネルに設けられる表示部とを備えた本体とを有する再生装置を提供する。
【発明の効果】
【０００９】
本発明によれば、外部映像表示部と再生装置との接続前あるいは接続時に映像出力端子の選択状況を確認でき、かつ接続を適切に行うことができる。
【発明を実施するための最良の形態】
【００１０】
（第１の実施の形態）
図１は、本発明の第１の実施の形態に係る再生装置の概略構成図である。
【００１１】
（再生装置１の構成）
この再生装置１は、ＨＤ規格のＤＶＤディスクを再生可能なＤＶＤ再生装置であり、ディスク再生動作に基づく表示および機器の稼動状態を示す表示部１００と、電源、前面ドア、ディスクトレイ等の操作用のスイッチを含むスイッチ１０１と、後述するリモートコントローラ２０との光通信を行う受光部１０２とを含むフロントパネル１０と、フロントパネル１０の表示部１００、スイッチ１０１、受光部１０２の動作を制御するパネル制御部１１と、再生装置１の各部を制御する主制御部１２と、再生装置１の動作に必要なファームウエア、プログラム等のデータを記憶する記憶部１３と、ＨＤ ＤＶＤ、ＤＶＤ、ＣＤ等のディスクを駆動するＤＩＳＣドライブ１４と、ＤＩＳＣドライブ１４で再生された映像のデータをデコードしてビデオ信号を生成するビデオデコーダと音声の信号をデコードしてオーディオ信号を生成するオーディオデコーダとを含むデコード部１５と、デコード部１５から出力されるビデオ信号とオーディオ信号をミックスして出力するＭＩＸ処理部１６と、再生装置１に設けられる複数の映像端子を切り換える映像切換部１７と、バス１８と、ネットワークに接続するためのＩ／Ｆ部１９とを本体に有し、更に本体のフロントパネル１０に設けられる受光部１０２と光通信するリモートコントローラ２０より構成されている。なお、同図においてはＭＩＸ処理部１６の映像出力側のみを示し、音声出力側については図示省略している。
【００１２】
図２は、本発明の第１の実施の形態に係る再生装置の本体正面図であり、図３は、フロントパネルに設けられる前面ドアを開いた状態を示す正面図である。再生装置１は、正面に設けられるフロントパネル１０の中央に表示部１００を有し、その下部にドア開閉スイッチ３によって開閉可能な前面ドア２を有する。前面ドア２は、ドア開閉スイッチ３の操作に基づいて開動作し、図３に示すようにドアの背後に設けられる外部接続端子であるＵＳＢ端子１０３、ディスクトレイ１０４、ＤＶＤの再生時に操作するスキップスイッチ１０５、ポーズスイッチ１０６、ストップスイッチ１０７、再生スイッチ１０８といった各操作スイッチを出現させる。この再生装置１は脚部１Ａによって支持されており、ディスクトレイ１０４は、正面中央右側に設けられるディスクトレイ開閉スイッチ４を操作することにより開閉する。また、フロントパネル正面中央左側には電源投入用のスイッチ１０１Ａが設けられている。
【００１３】
図４は、フロントパネルに設けられる表示部の部分拡大図である。表示部１００は、ＤＶＤディスクの再生に基づく種々の情報を表示するものであり、再生中及び一時停止中を表示する再生状態表示部１１０と、ディスクの種別（ＤＶＤ又はＨＤ  ＤＶＤ）を表示するディスク表示部１１１と、タイトル番号を表示しているときに点灯するタイトル表示部１１２と、ディスクトレイにＣＤが入っているときに点灯するＣＤ表示部１１３と、チャプター番号を表示しているとき点灯するチャプター表示１１４部と、ＨＤＭＩ（High-Definition Multimedia Interface）出力を設定しているとき点灯するＨＤＭＩ表示部１１５と、トラック番号を表示しているときに点灯するトラック表示部１１６と、残量時間を表示しているときに点灯する残量表示部１１７と、ディスクに記録されている総時間を表示しているときに点灯するトータル表示部１１８と、２チャンネル（Ｌ／Ｒ）の音声出力が選択されているときに点灯する２ｃｈ表示部１１９と、５．１チャンネルの音声出力が選択されているときに点灯するマルチ表示部１２０と、メモリ再生中に点灯するメモリ表示部１２１と、ランダム再生中に点灯するランダム表示部１２２と、リピート再生中に点灯するリピート表示部１２３と、マルチアングルで記録されている映像部分を再生しているときに点灯するアングルアイコン表示部１２４と、文字・数字を表示可能な複数のセグメントによって構成されてディスクの総合計時間、経過時間、残量、タイトル番号、チャプター番号、メッセージ等を表示する情報表示部１２５と、出力端子に出力されている映像信号の種類を表示する映像出力表示部１２６とを有して構成されている。
【００１４】
映像出力表示部１２６は、デジタル映像出力を行うＨＤＭＩ端子又はＤ端子が選択されているときに点灯し、出力する映像信号の解像度（４８０インターレース（４８０ｉ）、４８０プログレッシブ（４８０ｐ）、７２０プログレッシブ（７２０ｐ）、１０８０インターレース（１０８０ｉ））に応じて選択された表示を点灯させる。
【００１５】
図５は、本発明の第１の実施の形態に係る再生装置の本体背面図である。再生装置１は、本体背面に２チャンネル（Ｌ／Ｒ）の音声出力を行うアナログ音声出力端子１３０と、５．１チャンネルの音声出力を行うサラウンド音声出力端子１３１と、デジタル音声出力端子である同軸端子１３２Ａおよび光端子１３２Ｂと、ＨＤＭＩ出力を行うＨＤＭＩ端子１３３と、コンポーネントビデオ出力を行うコンポーネント端子１３４と、Ｄ端子規格（Ｄ１〜Ｄ４）に基づいてアナログ映像出力を行うＤ端子１３５と、Ｓ１映像端子１３６および映像端子（コンポジット映像端子）１３７と、機能拡張用端子としてのＲＳ−２３２端子１３８と、ブロードバンド常時接続のネットワークと接続するためのＬＡＮ端子１３９と、本体内部に設けられる換気ファンの回転に基づいて外部へ熱を放散する換気孔１４０と、電源入力端子１４１とを有する。
【００１６】
図６は、本発明の第１の実施の形態に係る再生装置を遠隔操作するリモートコントローラの全体図である。リモートコントローラ（以下、「リモコン」という）２０は、電源スイッチ２００と、トレイ開閉スイッチ２０１と、ドア開閉スイッチ２０２と、音声スイッチ２０３と、現在の字幕設定を表示する字幕スイッチ２０４と、複数のカメラアングルで記録されている部分において好みのアングルに切り換えるためのアングルスイッチ２０５と、録画内容を一覧表示させるためのメニュースイッチ２０６と、デジタル映像出力（ＨＤＭＩ）とその他のアナログ映像出力を切り換えるための端子切換スイッチ２０７と、接続したテレビのスキャン方式に応じた映像出力の解像度を選択するための解像度切換スイッチ２０８と、トップメニューを表示させるためのトップメニュースイッチ２０９と、画面表示された項目を選択するための方向スイッチ２１０と、選択した項目について決定操作を行うための決定スイッチ２１１と、前画面に戻るためのリターンスイッチ２１２と、最後に止めた位置から再生を行うための続き再生スイッチ２１３と、再生を行うための再生スイッチ２１４と、再生を停止するための停止スイッチ２１５と、再生の一時停止／コマ送りを行うための一時停止／コマ送りスイッチ２１６と、再生を早送りするための早送りスイッチ２１７と、再生を早戻しするための早戻しスイッチ２１８と、スキップ操作を行うためのスキップスイッチ２１９および２２０と、スロー再生を行うためのスロースイッチ２２１と、リモコンに内蔵されたバックライトのＯＮ／ＯＦＦを行うためのバックライトモードスイッチ２２２と、方向スイッチによる８方向のカーソル機能をＯＮ／ＯＦＦするためのカーソルスイッチ２２３と、繰り返し再生を実行させるためのリピートスイッチ２２４と、ＨＤ  ＤＶＤディスクの再生中に表示されるスイッチ操作指示に基づいて操作されるＡＢＣＤスイッチ２２５と、テレビ電源スイッチ２２６と、テレビ入力切換スイッチ２２７と、テレビチャンネルスイッチ２２８と、テレビ音量スイッチ２２９と、テレビミュートスイッチ２３０と、テレビメーカー設定スイッチ２３１と、再生している状態又はディスクの種類に応じた表示を行わせるための表示スイッチ２３２と、図４の表示部１００の明るさを切り換えるディマースイッチ２３３と、経過時間を指定して頭出しを行うためのＴ.サーチスイッチ２３４と、入力した項目の時間表示をクリアするためのクリアスイッチ２３５と、初期設定の変更を行うとき操作する設定スイッチ２３６と、時間等の数値を入力するための番号スイッチ２３７とを有する。なお、Ｔ.サーチスイッチ２３４、クリアスイッチ２３５、設定スイッチ２３６、および番号スイッチ２３７の部分については通常時は図示しないスライド式のカバーで覆われている。
【００１７】
図７（ａ）から（ｄ）は、外部映像表示部であるＴＶ装置と再生装置との接続を示す概略図である。第１の接続は、図７（ａ）に示すように映像接続ケーブル４１と音声接続ケーブル４０とを用いて接続するものである。この場合、図５に示す再生装置１の映像端子１３７と、ＴＶ装置３０の映像入力端子とが映像接続ケーブル４１によって接続される。また、音声については再生装置１のアナログ音声出力端子１３０とＴＶ装置３０の音声入力端子とが音声接続ケーブル４０によって接続される。
【００１８】
なお、第１の接続では、映像接続ケーブル４１に代えて図示しないＳ映像接続ケーブルを用いることもできる。この場合、図５に示す再生装置１のＳ１映像端子１３６と、ＴＶ装置３０のＳ映像入力端子とがＳ映像接続ケーブルによって接続される。
【００１９】
第２の接続は、図７（ｂ）に示すようにコンポーネント映像接続ケーブル４２と音声接続ケーブル４０とを用いて接続するものである。この場合、図５に示す再生装置１のコンポーネント端子１３４と、ＴＶ装置３０のコンポーネント入力端子とがコンポーネント映像接続ケーブル４２によって接続される。音声については第１の接続と同様である。
【００２０】
第３の接続は、図７（ｃ）に示すようにＤ端子接続ケーブル４３と音声接続ケーブル４０とを用いて接続するものである。この場合、図５に示す再生装置１のＤ端子１３５と、ＴＶ装置３０のＤ映像入力端子とがＤ端子接続ケーブル４３によって接続される。音声については第１の接続と同様である。
【００２１】
第４の接続は、図７（ｄ）に示すようにデジタル信号対応のＨＤＭＩケーブル４４を用いて接続するものである。この場合、図５に示す再生装置１のＨＤＭＩ端子１３３と、ＨＤＭＩ対応のＴＶ装置３１のＨＤＭＩ入力端子とがＨＤＭＩケーブル４４によって接続される。なお、音声信号についてもＨＤＭＩケーブル４４で伝送される。
【００２２】
また、音声出力については、上記したアナログ音声出力端子１３０の他にサラウンド音声出力端子１３１を用いた５．１チャンネルアナログ音声出力や、同軸端子１３２Ａ又は光端子１３２Ｂのデジタル音声出力によるＡＶアンプとの接続によってマルチチャンネルサウンド化することもできる。
【００２３】
図８（ａ）から（ｃ）は、ＴＶ装置との未接続段階における再生装置の表示部を示す説明図である。
【００２４】
再生装置１の背面に設けられる電源入力端子１４１に電源コードを接続し、リモコン２０の操作に基づき再生装置１を待機状態から稼動状態とすると、表示部１００の情報表示部１２５にはディスクトレイが空であることを示す「ＮＯ  ＤＩＳＣ」が点灯する。また、その上部には図８（ａ）に示すようにＨＤＭＩ端子が出力端子として選択されていることを示すＨＤＭＩ表示部１１５と、２チャンネル音声出力端子が選択されていることを示す２ｃｈ表示部１１９とが点灯する。なお、どの映像端子を出荷時に設定するかは任意であり、初回電源投入時に表示される映像端子表示は出荷時設定に基づいて定まる。
【００２５】
また、ＨＤＭＩ端子が選択されている場合には、映像信号の解像度を示す映像出力表示部１２６に解像度を示す表示が点灯する。図８（ａ）では、映像信号の解像度として「４８０ｉ」が点灯している。
【００２６】
図８（ｂ）では、図８（ａ）と同様にＨＤＭＩ端子が選択されているが、図６に示すリモコン２０に設けられる解像度切換スイッチ２０８を操作することにより切り換えられた映像信号の解像度として「７２０ｐ」が点灯している。また、５．１チャンネル音声出力端子が選択されていることを示すマルチ表示部１２０が点灯している。
【００２７】
図８（ｃ）は、図６に示すリモコン２０に設けられる端子切換スイッチ２０７を操作することにより、アナログ映像出力端子のいずれかが選択された場合を示し、チャンネル音声出力端子が選択されていることを示す２ｃｈ表示部１１９のみが点灯している。
【００２８】
（第１の実施の形態における操作）
図９は、本発明の再生装置における出力端子および解像度決定の操作を含む初期設定の流れを示すフローチャートである。以下に、図１から図８の図面を参照して初期設定の流れについて説明する。
【００２９】
まず、再生装置１を扱う前に、ユーザはリモコン２０に電池をセットして使用可能な状態とする。次に、再生装置１の本体背面に設けられる電源入力端子１４１に電源コードを接続すると、再生装置１は待機状態となる。この状態でユーザがリモコン２０の電源スイッチ２００を操作することにより再生装置１は稼動状態となり、表示部１００の情報表示部１２５に「ＮＯ  ＤＩＳＣ」が点灯する（Ｓ１）。
【００３０】
次に、ユーザは表示部１００の端子選択表示を確認する。ここで、ＨＤＭＩ対応のＴＶ装置３１と再生装置１とをＨＤＭＩケーブル４４で接続するものとしたとき、図８（ａ）または（ｂ）に示すように表示部１００にＨＤＭＩ表示部１１５が表示されていることを確認し、加えてＨＤＭＩ出力による解像度が適切なものかどうか映像出力表示部１２６で確認する。ＨＤＭＩ表示部１１５が表示されていないときはリモコン２０の端子切換スイッチ２０７を操作することにより映像出力端子の切り換えを行う（Ｓ２）。
【００３１】
ユーザがリモコン２０を操作して映像出力端子の切り換えを行うと、表示部１００には切り換えに基づいてＨＤＭＩ表示部１１５が表示若しくは非表示となる。ＨＤＭＩ表示部１１５が表示されている場合はＨＤＭＩ端子１３３が出力端子として選択されたことになり、ＨＤＭＩ映像出力が排他的に出力される。また、ＨＤＭＩ表示部１１５が非表示の場合はアナログ映像出力端子（Ｄ端子、Ｓ１映像端子、コンポジット映像端子、コンポーネント映像端子）が選択されていることになり、アナログ映像出力が排他的に出力される（Ｓ３）。このようにして希望する出力端子を設定した後に解像度の設定を行う（Ｓ４：ＹＥＳ）。
【００３２】
次に、ユーザは解像度の調整を行う。映像出力表示部１２６にＴＶ装置３１へ出力する映像信号に応じた解像度が表示されていないとき、例えば、図８（ｂ）に示す７２０プログレッシブの解像度ではなく４８０インターレースの解像度を選択するときはリモコン２０の解像度切換スイッチ２０８を操作することにより解像度の切り換えを行う（Ｓ５）。
【００３３】
ユーザがリモコン２０を操作して解像度の切り換えを行うと、表示部１００の映像出力表示部１２６には切り換えに基づいて解像度を示す表示が順次表示される。このようにして表示される解像度について適切なものを選択して設定を行う（Ｓ６）。このようにして適切な解像度を設定すると、選択した映像出力端子に映像信号が出力されるようになる（Ｓ７：ＹＥＳ）。ここで選択された映像出力端子はＨＤＭＩ端子１３３であるので、ユーザはＨＤＭＩ端子１３３にＨＤＭＩケーブル４４の一端を接続し、さらにＴＶ装置３１にＨＤＭＩケーブル４４の他端を接続することによりＴＶ装置３１に映像信号がデジタル映像信号が出力されて画面表示がなされる（Ｓ８）。
【００３４】
次に、ユーザはリモコン２０の設定スイッチ２３６を操作して設定画面をＴＶ装置３１に画面表示させる。このようにして表示された設定画面を見ながらユーザがリモコン２０を操作して必要な設定を行った後、最後に再び設定スイッチ２３６を操作することによってＴＶ装置３１の表示画面に基づく設定を終了する（Ｓ９）。
【００３５】
（第１の実施の形態の効果）
上記した第１の実施の形態によると、再生装置１をＴＶ装置３０又は３１に接続する前に、映像信号が出力される端子がどの映像端子であるかを本体正面のフロントパネル１０に設けられた表示部１００に可視表示することにより、複数の映像出力端子を備えたものであっても映像ケーブルの接続を容易かつ確実に行うことができる。また、映像端子の種類だけでなく、映像出力表示部１２６に映像信号の解像度を表示させるようにしたので、接続されているにもかかわらず画面表示がなされないといった不具合も解消できる。
【００３６】
また、ＴＶ画面に頼ることなく、再生装置１単体で表示部１００を確認しながら映像端子の選択および解像度の選択操作が可能であるので、予め映像端子および解像度を選択しておいてから映像ケーブルを接続する、あるいは映像ケーブル接続後に映像端子および解像度の変更を行うといった操作を状況に応じて選択できるようになり、習熟の程度を問わずに既存のＴＶ装置に新規購入した再生装置１を接続するといった設置作業の作業性が向上する。
【００３７】
なお、第１の実施の形態では、再生装置１の表示部にデジタル映像出力端子であるＨＤＭＩ端子１３３の選択を示すＨＤＭＩ表示部１１５を表示、あるいは非表示とすることでアナログ映像出力又はデジタル映像出力の判断を行える構成を説明したが、例えば、図１０（ａ）に示すようにＨＤＭＩ表示１１５Ａ、Ｄ表示１１５Ｂ、コンポーネント表示（ＣＯＭＰ）１１５Ｃ、およびＳ１映像表示（Ｓ）１１５Ｄを含む端子表示１００Ａを表示部１００に設け、ＨＤＭＩ端子１３３が選択されたときは図１０（ｂ）に示すようにＨＤＭＩ表示１１５Ａを表示し、その他のアナログ映像端子が選択されたときは図１０（ｃ）に示すようにＤ表示１１５Ｂ、コンポーネント表示１１５Ｃ、およびＳ１映像表示１１５Ｄを表示させるようにしても良い。
【００３８】
あるいは、アナログ映像端子が選択されたときに図１０（ｃ）に示すＤ表示１１５Ｂ、コンポーネント表示１１５Ｃ、およびＳ１映像表示１１５Ｄのいずれか選択されている映像端子について個々に表示させるようにしても良い。
【００３９】
（第２の実施の形態）
図１１は、本発明の第２の実施の形態に係る再生装置を部分的に示す概略構成図である。この再生装置１では、第１の実施の形態で説明した映像切換部１７に加えて音声出力についても切り換えが可能となるように音声切換部１７Ｂを設けており、映像切換部１７Ａとともに再生装置１のフロントパネル１０に設けられる表示部１００に選択された音声出力端子が表示されるようにするものである。同図においては、光および同軸出力は独立して出力可能であり、２ｃｈおよび５．１ｃｈの音声出力については同時に出力される。
【００４０】
（第２の実施の形態の効果）
上記した第２の実施の形態によると、このような構成とすることで、映像出力だけでなく音声出力についても音が出ないといった不具合をＡＶアンプやスピーカに接続する前に可視的に解消することが可能になる。
【００４１】
なお、本発明は、上記した各実施の形態に限定されず、本発明の技術思想を逸脱あるいは変更しない範囲内で種々な変形が可能である。
【図面の簡単な説明】
【００４２】
【図１】本発明の第１の実施の形態に係る再生装置の概略構成図である。
【図２】本発明の第１の実施の形態に係る再生装置の本体正面図である。
【図３】フロントパネルに設けられる前面ドアを開いた状態を示す正面図である。
【図４】フロントパネルに設けられる表示部の部分拡大図である。
【図５】本発明の第１の実施の形態に係る再生装置の本体背面図である。
【図６】本発明の第１の実施の形態に係る再生装置を遠隔操作するリモートコントローラの全体図である。
【図７】（ａ）から（ｄ）は、外部映像表示部であるＴＶ装置と再生装置との接続を示す概略図である。
【図８】（ａ）から（ｃ）は、ＴＶ装置との未接続段階における再生装置の表示部を示す説明図である。
【図９】本発明の再生装置における初期設定操作の流れを示すフローチャートである。
【図１０】アナログ映像出力又はデジタル映像出力の他の表示方法を示す説明図である。
【図１１】本発明の第２の実施の形態に係る再生装置を部分的に示す概略構成図である。
【符号の説明】
【００４３】
１…再生装置、１０…フロントパネル、１１…パネル制御部、１２…主制御部、１３…記憶部、１４…ＤＩＳＣドライブ、１５…デコード部、１６…ＭＩＸ処理部、１７…映像切換部、１７Ａ…映像切換部、１７Ｂ…音声切換部、１８…バス、１９…Ｉ／Ｆ部、２０…リモートコントローラ、３０，３１…ＴＶ装置、４０…音声接続ケーブル、４１…映像接続ケーブル、４２…コンポーネント映像接続ケーブル、４３…端子接続ケーブル、４４…ＨＤＭＩケーブル、１００…表示部、１００Ａ…端子表示、１１５…ＨＤＭＩ表示部、１１５Ａ…ＨＤＭＩ表示、１１５Ｂ…Ｄ表示、１１５Ｃ…コンポーネント表示、１１５Ｄ…Ｓ１映像表示、１１６…トラック表示部、１１７…残量表示部、１１８…トータル表示部、１１９…２ｃｈ表示部、１２０…マルチ表示部、２００…電源スイッチ、２０１…トレイ開閉スイッチ、２０２…ドア開閉スイッチ、２０３…音声スイッチ、２０４…字幕スイッチ、２０５…アングルスイッチ、２０６…メニュースイッチ、２０７…端子切換スイッチ、２０８…解像度切換スイッチ、２３６…設定スイッチ、２３７…番号スイッチ
【図１】
2007166524.tif 000003
【図２】
2007166524.tif 000004
【図３】
2007166524.tif 000005
【図４】
2007166524.tif 000006
【図５】
2007166524.tif 000007
【図６】
2007166524.tif 000008
【図７】
2007166524.tif 000009
【図８】
2007166524.tif 000010
【図９】
2007166524.tif 000011
【図１０】
2007166524.tif 000012
【図１１】
2007166524.tif 000013